(57)【特許請求の範囲】
【請求項１】
電源スイッチを投入することにより内蔵した処理演算手段を電池で駆動させ、リセットスイッチを投入することにより該処理演算手段の初期化を行う電池駆動型端末装置において、  
開孔がある箇所におけるケースの内側に電源スイッチとリセットスイッチのインターロックスイッチを配置し、さらに開孔がある箇所におけるケースの内側に該電源スイッチと該インターロックスイッチに対向して投入バーを設け、該開孔は該ケース外から内部に向けて操作棒を挿入し固定することができるようになっており、該開孔への該操作棒の挿入固定により、該投入バーを該電源スイッチと該インターロックスイッチに向けて移動させ、該電源スイッチを投入するとともに該インターロックスイッチを操作して該処理演算手段と該リセットスイッチの間を開放するようにしてあることを特徴とする電池駆動型端末装置。
【発明の詳細な説明】
【技術分野】
【０００１】
本発明は、電源スイッチを投入することにより内蔵した処理演算手段を電池で駆動させ、リセットスイッチを投入することにより該演算手段の初期化を行う電池駆動型端末装置に関するものである。
【背景技術】
【０００２】
工場内設備（機器）の運転状況の把握については、設備管理担当者が設備を１日数回巡回して点検を行うのが一般的であった。しかし最近では人手不足や人件費削減等のため、人による情報収集ではなく設備にセンサを取付け、その運転情報を処理演算手段で収集して中央側に送信する方法がとられている。
【０００３】
さらにセンサの情報を無線で送信する方法も注目されつつある。この場合、送信側である無線端末は電池駆動としていることが多い。送信機能を持つか否かは別として、電池駆動の端末装置を電池駆動型端末装置と呼ぶこととする。なお、このようなものを示すものとして、下記特許文献１がある。
【０００４】
【特許文献１】特開２０００−３３２６４４号公報
【発明の開示】
【発明が解決しようとする課題】
【０００５】
電池駆動型端末装置の初回設置時には、運転情報の収集を行う処理演算手段などに対し電力を供給するための電源投入と処理演算手段を初期化するためのハードウェアリセットの操作をする必要がある。
【０００６】
設置前に電池の消耗を防止するには、設置直前に電池を装着し、ハードウェアリセットを行う方法や、事前に電池を装着しておくが、電池駆動型端末装置のケース外部に電源スイッチとハードウェアのリセットスイッチを設けておく等の方法がある。
【０００７】
上記前者のように直前に電池を装着しハードウェアリセットを行う場合、電池駆動型端末装置の設置台数が増えれば、手間も増える。また、上記後者のように事前に電池を装着しておきケース外部に電源スイッチとリセットスイッチを設けておく場合は、ケースの剛性や防水性を考慮すると、ケース外部へのスイッチ等の露出は極力避ける事が望ましい。
【０００８】
従って、本発明の目的は、初回設置時における電源投入とハードウェアリセットの操作に関する手間を極力減らすことができ、また高い防水性を得ることができる電池駆動型端末装置を提供することにある。
【課題を解決するための手段】
【０００９】
上記目的を達成するため本発明の特徴とするところは、電源スイッチを投入することにより内蔵した処理演算手段を電池で駆動させ、リセットスイッチを投入することにより該処理演算手段の初期化を行う電池駆動型端末装置において、開孔がある箇所におけるケースの内側に電源スイッチとリセットスイッチのインターロックスイッチを配置し、さらに開孔がある箇所におけるケースの内側に該電源スイッチと該インターロックスイッチに対向して投入バーを設け、該開孔は該ケース外から内部に向けて操作棒を挿入し固定することができるようになっており、該開孔への該操作棒の挿入固定により、該投入バーを該電源スイッチと該インターロックスイッチに向けて移動させ、該電源スイッチを投入するとともに該インターロックスイッチを操作して該処理演算手段と該リセットスイッチの間を開放するようにしたことにある。
【発明の効果】
【００１０】
上記本発明によれば、電源はケース内に搭載し、開孔は操作棒の挿入固定で封止するので防水性は高い。また、操作棒の挿入により、電源スイッチを投入して処理演算手段が電池で駆動されるようにするとともに、処理演算手段の初期化を行うリセットスイッチ投入後のインターロックスイッチ操作で処理演算手段とリセットスイッチの間を開放するので、その後リセットスイッチが誤動作をしても処理演算手段の再初期化が行われることはなく、初回設置時における電源投入とハードウェアリセットの操作に関する手間を減らすことができる。
【発明を実施するための最良の形態】
【００１１】
以下、本発明の一実施形態について説明する。
【実施例１】
【００１２】
図１は、本発明の一実施形態を示す無線端末のブロック図である。図１において、１０
は図示していない中継機と無線により送受信を行う一方の送受信装置に相当する本発明電池駆動型端末装置の一実施形態である無線端末で、アンテナ１０Ｒａを備えている。
【００１３】
図示していない中継機は、無線で送受信を行う他方の送受信装置に相当し、無線端末
１０から受信した情報を図示していない中央機側へ送信し、また逆に中央機側からの命令を無線端末１０側に送信する。無線端末は複数存在するが、１台のみを示している。
【００１４】
無線端末１０は、内蔵した処理演算手段である中央処理装置（以下「ＣＰＵ」と略記）１１，タイマ１２，電源としての電池１３，送信回路（送信部）１４，受信回路(受信部)１５，スイッチボックス１６，タイマ監視器１７，機番設定器１８，各種のセンサ１９ａ〜１９ｃ，電源スイッチ２０，リセットスイッチ２１，インターロックスイッチ２２及びフィルタ２３を備えている。
【００１５】
機番設定器１８は、図示していない親機としての中継機が多数ある子機としての各無線端末１０から送られてくる無線情報についてどの無線端末１０から送られてきたものか区別し特定できるようにする号機番号（機番）を無線端末１０側において中継機に送信する無線情報内に個別に設定するものである。
【００１６】
各種のセンサ１９ａ〜１９ｃは、図示していない特定の設備に設置してその設備の動作状態を計測するもので、以下、センサ１９と総称する。
【００１７】
電池１３の電力は、電源スイッチ２０，スイッチボックス１６を介しタイマ１２およびタイマ監視器１７へと供給される。実線で示す接続は、常時接続状態にあることを示している。また、ＣＰＵ１１，送信回路１４，受信回路１５および各センサ１９とスイッチボックス１６とは接続してあることを点線で示しているが、これはタイマ１２における時刻を監視するタイマ監視器１７の指示に従って適時に接続し、その他の時は接続していないことを表している。
【００１８】
電源スイッチ２０はプッシュ式であり、電池１３のスイッチボックス１６への電力供給は電源スイッチ２０を切ることによって停止することができる。従って、設置前に電源スイッチ２０を開放しておくことで、電池１３の電力の消耗を防ぐことができる。
【００１９】
リセットスイッチ２１はＣＰＵ１１のハードウェアリセット（初期化）を行うためのスイッチで、リセットスイッチ２１がオン（リセットスイッチ投入）の時、ＣＰＵ１１はハードウェアリセットを行う。このリセット動作は無線端末の初回設置後の電源投入後、または電池交換を行った後の電源投入後に行われる。このリセットスイッチ２１として、傾斜させると内部の導電性球体が移動し接点間を接続する傾斜式スイッチを用いている。
【００２０】
フィルタ２３はローパスフィルタであり、リセットスイッチ２１を投入する時に発生する不要な高周波成分（チャタリングノイズ）を除去するためにある。
【００２１】
ＣＰＵ１１は、各センサ１９からデータ（情報）を収集して送信回路１４や受信回路
１５を介して中継機と無線で交信して送信を行う。中継器との無線交信の時間間隔は中継器との初回交信時に中継器よりデータが送信される。
【００２２】
タイマ監視器１７は、中継器から指定された時間間隔に従い、タイマ１２における時刻を参照して、各部位への電源供給等を制御する。
【００２３】
無線端末１０ではＣＰＵ１１を適時に稼動させるので、タイマ監視器１７をＣＰＵ１１から分離させており、電池１３の電力を消耗しない構成としている。
【００２４】
電源スイッチ２０とインターロックスイッチ２２は、図２，図３に示した操作棒としてのビス３１により連動するようになっている。
【００２５】
リセットスイッチ２１は傾斜式スイッチであり、ＣＰＵ１１が初回設置時における電源スイッチ２０の投入で動作開始後の無線交信中などに、無線端末１０が斜傾するなどにより、リセットスイッチ２１が作動しハードウェアリセットが起こると、無線交信に不具合を生じる。
【００２６】
そこで、作業者はビス（操作棒）３１で電源スイッチ２０を投入し、リセットスイッチ２１を投入してからビス（操作棒）３１でインターロックスイッチ２２を操作して、
ＣＰＵ１１とリセットスイッチ２１の間を開放し、リセットスイッチ２１が誤動作をしても、リセット信号がＣＰＵ１１に届かないようになっている。
【００２７】
以下、図２，図３により電源スイッチ２０，リセットスイッチ２１，ビス（操作棒）
３１の配置構成及び初回設置時における電源投入とハードウェアリセットについて説明する。
【００２８】
図２は、無線端末１０のケース３０の一部を示す断面図である。
【００２９】
図２において、ビス３１を表示したケース３０の下側はケース３０の外側で、ケース
３０の上側はケース３０の内側である。ケース３０には開孔３０Ａがあり、開孔３０Ａの内壁には雌ネジを設けてある。
【００３０】
ケース３０の内部には図１に示したＣＰＵ１１などを搭載した基板３２があり、基板32は開孔３０Ａがある箇所に電源スイッチ２０とリセットスイッチ２１のインターロックスイッチ２２を配置してあり、リセットスイッチ２１は上述したように傾斜式スイッチである。
【００３１】
インターロックスイッチ２２は接点アーム２２Ａ，引張ばね２２Ｂ，押し棒２２Ｃを有する蝶つがい式のスイッチで、接点アーム２２Ａは右側に支点があり、左側に接点が設けられ、接点アーム２２Ａは引張ばね２２Ｂにより基板３２側に押さえつけられているため、接点が閉じたままのｂ接点である。
【００３２】
３３は、引張ばね３４Ａ，３４Ｂでケース３０の内壁側に偏倚している投入バーである。この投入バー３３は、一端が電源スイッチ２０の押しボタンに対向し、他端がインターロックスイッチ２２の押し棒２２Ｃに対向している。投入バー３３は電源スイッチ２０の押しボタンとインターロックスイッチ２２の押し棒２２Ｃから離れているように引張ばね３４Ａ，３４Ｂによりケース３０の内壁側に偏倚されている。
【００３３】
リセット動作は、前述のように無線端末１０の初回設置後の電源投入後または、電池交換を行った後の電源投入後に行われる。従って電源投入後以外ではリセットスイッチ２１は動作しないことが必要である。
【００３４】
初回設置後、作業者はケース３０における開孔３０Ａにビス３１を取り付け、ビス３１をねじ上げていく。すると、引張ばね３４Ａ，３４Ｂによりケース３０の内壁側に偏倚されてていた投入バー３３は、ビス３１に押され徐々に上昇する。上昇し続けた投入バー
３３は、先ず電源スイッチ２０の押しボタンを押す。この時点で電源投入される。
【００３５】
次に、作業者はハードウェアリセットの操作を行う。リセットスイッチ２１は傾斜式スイッチであるため、無線端末１０をケース３０ごと傾斜式スイッチが作動する方向に傾ける。するとインターロックスイッチ２２はｂ接点であるために、リセットスイッチ２１が作動して出されるリセット信号はインターロックスイッチ２２とフィルタ２３を経て
ＣＰＵ１１に至り、ＣＰＵ１１を初期化（ハードウェアリセット）する。ハードウェアリセットが確実に行われるようにするために１秒程度状態を保持した後、無線端末１０を元に戻し、ハードウェアリセット終了となる。
【００３６】
この時点で、無線端末１０は稼動状態となり、図示していない中継機と無線で交信して送受信を行う。引き続き、リセットスイッチ２１に対するインターロックを働かせる。
【００３７】
そのために、さらに開孔３０Ａにビス３１をねじ込むことにより、引張ばね３４Ａ，
３４Ｂに抗して投入バー３３は上昇を続け、電源スイッチ２０の押しボタンを支点として図３に示すように傾く。投入バー３３を傾けながら、ビス３１はさらに上昇し、インターロックスイッチ２２の押し棒２２Ｃを上昇させる。
【００３８】
インターロックスイッチ２２は前述のように蝶つがい式のスイッチであるため、押し棒２２Ｃの上昇は接点アーム２２Ａを引張ばね２２Ｂに抗して右側を支点として左側接点の接触が外れるように押し上げ、接点は開となる。従って、リセットスイッチ２１に対するインターロックが成立する。ビス３１は、開孔３０Ａにそのままねじ込んで固定しておき、開孔３０Ａの封止材として機能させる。
【００３９】
ビス３１がケース３０に挿入固定されたままであれば、リセットスイッチ２１に対するインターロックは維持されるので、無線端末１０が傾いてリセットスイッチ２１が投入されることがあっても、ハードウェアリセットの誤動作は起こらず、無線の交信が阻害されることはない。
【００４０】
電池交換を行った後のリセット動作も、一旦、ビス３１をケース３０の開孔３０Ａから外した後に再度ねじ込みを行うことで、上記と同様に実行する。
【００４１】
電源スイッチ２０やリセットスイッチ２１は、他の形式のスイッチでも構わない。
【００４２】
例えば、電源スイッチ２０としてリードスイッチを用い、投入バー３３に設けた磁石を近付けることで投入するようにしてもよい。またリセットスイッチ２１として、リードスイッチや加速度センサや照度センサを活用したスイッチを用い、磁気，振動、光などにより投入するようにしてもよい。
【図面の簡単な説明】
【００４３】
【図１】本発明の一実施形態を示す無線端末のブロック図である。
【図２】図１に示す無線端末のケースの一部を示す断面図である。
【図３】図２に示すリセットスイッチに対してインターロックが成立したことを示す図である。
【符号の説明】
【００４４】
１０…無線端末（子機）、１０Ｒａ…アンテナ、１１…ＣＰＵ（処理演算手段）、１３…電池、２０…電源スイッチ、２１…リセットスイッチ、２２…インターロックスイッチ、３１…ビス、３３…投入バー。
【図１】
0004569495.tif 000002
【図２】
0004569495.tif 000003
【図３】
0004569495.tif 000004